(57)【要約】【目的】  本発明は、事務所や会議室等で使用されるノンアドレス方式の机に関し、机間の横配線、及び床面からの縦配線が容易で、使用者ごとの収納スペースが確保され、さらに、縦配線状態及び横配線状態が常に簡単な構造で隠蔽され、使い勝手がよく、美観を損なわない机を提供することを目的とする。【構成】  前後に所定間隔を有して配設された前後天板間に臨む上部配線空間を有する中間枠体に、一方は前側から他方は後側から使用可能とした左右収納空間を、上部配線空間の下方に設けたものである。【選択図】    図１２
2007044180.tif 000002
【特許請求の範囲】
【請求項１】
前後に所定間隔を有して配設された前後天板間に臨む上部配線空間を有する中間枠体に、一方は前側から他方は後側から使用可能とした左右収納空間を、上部配線空間の下方に設けたことを特徴とする机。
【請求項２】
前後に所定間隔を有して配設された前後天板間に臨む上部配線空間を有する中間枠体に、一方は前側から他方は後側から使用可能とした左右収納空間を、上部配線空間の下方に設け、左右収納空間の使用側には前後開閉扉が左右方向にスライド自在に配設されていることを特徴とする机。
【請求項３】
前後に所定間隔を有して配設された前後天板間に臨む上部配線空間を有する中間枠体に、上部配線空間の左右方向略中央部下方に、上部配線空間に連続する中央縦配線空間を設け、一方は前側から他方は後側から使用可能とした左右収納空間を、中央縦配線空間の左右側で、上部配線空間の下方に設けた事を特徴とする机。
【請求項４】
前後に所定間隔を有して配設された前後天板間に臨む上部配線空間を有する中間枠体に、上部配線空間の左右方向略中央部下方に、上部配線空間に連続する中央縦配線空間を設け、一方は前側から他方は後側から使用可能とした左右収納空間を、中央縦配線空間の左右側で、上部配線空間の下方に設け、左右収納空間の使用側には前後開閉扉が左右方向にスライド自在に配設され、前後開閉扉は、一方の収納空間と中央縦配線空間を合わせた幅寸法より、やや大き目の幅寸法に形成されていることを特徴とする机。
【発明の詳細な説明】
【技術分野】
【０００１】
本発明は、事務所や会議室等で使用されるノンアドレス方式の机に関するものである。
【背景技術】
【０００２】
従来、上記机は、上面が開口し、内部に配線スペースを有し、左右端部に配線口を設けた床面に自立できる構造体の左右端部上面に天板受けを設け、天板受けに、前後方向に所定の間隔を有して前後天板を設け、前後天板間に配線カバーを着脱自在に設けた構成とし、使用人数に応じてこの机を併設連結するようにしていた。（例えば、特許文献１参照。）
そして、上記机の構造体の内部は一つの配線スペースのみから構成されているので、配線口によって左右方向への机間の配線は支障なく行なえるが、机ごとに床面から構造体内部へ直接に配線することが出来ないだけでなく、使用者個人の所有物（鞄等）を一時的に収納しておく場所がない等の問題があった。
【０００３】
【特許文献１】特許第２９９０５７６号公報
【発明の開示】
【発明が解決しようとする課題】
【０００４】
本発明は、机間の横配線、及び床面からの縦配線が容易で、使用者ごとの収納スペースが確保され、さらに、縦配線状態及び横配線状態が常に簡単な構造で隠蔽され、使い勝手がよく、美観を損なわない机を提供することを課題とする。
【課題を解決するための手段】
【０００５】
そこで、上記課題を解決する為、本発明が第１の手段として構成したところは、前後に所定間隔を有して配設された前後天板間に臨む上部配線空間を有する中間枠体に、一方は前側から他方は後側から使用可能とした左右収納空間を、上部配線空間の下方に設けたものである。
【０００６】
次に、本発明が第２の手段として構成したところは、前後に所定間隔を有して配設された前後天板間に臨む上部配線空間を有する中間枠体に、一方は前側から他方は後側から使用可能とした左右収納空間を、上部配線空間の下方に設け、左右収納空間の使用側には前後開閉扉が左右方向にスライド自在に配設されているものである。
【０００７】
次に、本発明が第３の手段として構成したところは、前後に所定間隔を有して配設された前後天板間に臨む上部配線空間を有する中間枠体に、上部配線空間の左右方向略中央部下方に、上部配線空間に連続する中央縦配線空間を設け、一方は前側から他方は後側から使用可能とした左右収納空間を、中央縦配線空間の左右側で、上部配線空間の下方に設けたものである。
【０００８】
次に、本発明が第４の手段として構成したところは、前後に所定間隔を有して配設された前後天板間に臨む上部配線空間を有する中間枠体に、上部配線空間の左右方向略中央部下方に、上部配線空間に連続する中央縦配線空間を設け、一方は前側から他方は後側から使用可能とした左右収納空間を、中央縦配線空間の左右側で、上部配線空間の下方に設け、左右収納空間の使用側には前後開閉扉が左右方向にスライド自在に配設され、前後開閉扉は、一方の収納空間と中央縦配線空間を合わせた幅寸法より、やや大き目の幅寸法に形成されているものである。
【発明の効果】
【０００９】
請求項１に記載の発明によると、使用者が対面側から左右収納空間を使用できるので、個人の所有物を一時的に保管でき、天板上面を広く使用できる。
また、左右収納空間は上部配線空間の下方に構成されているので、通信線、電源線用の天板上への配線だけでなく、机間の横配線も、左右収納空間に影響されることなく容易に行なう事が出きる。
【００１０】
請求項２に記載の発明によると、前記効果に加え、前後開閉扉で左右収納空間の使用者側を閉鎖することで、収納物が露見して美観を損ねることがない。
又、前後開閉扉を開放側に移動しても、前後開閉扉は、他方の収納空間の後側に位置するので、前後扉の開閉動作が他方の収納空間に影響を与えることがない。
【００１１】
請求項３に記載の発明によると、上部配線空間に連続する中央縦配線空間を上部配線空間に連続して設けたので、床面から所望の机に直接配線する事が出来るので、机の設置場所、レイアウトに影響されることがなく、床面から上部配線空間への縦配線及び机間の横配線が容易にできる。又、中央縦配線空間は、社内ＬＡＮ等のハブの収納部、余長コードの収納部としても利用することが可能である。
さらに、左右収納空間は上部配線空間の下方で、中央縦配線空間の左右側に構成されているので、中央縦配線空間に影響されることがなく、使用者が対面側から左右収納空間を使用できるので、個人の所有物を一時的に保管でき、天板上面を広く使用できる。
【００１２】
請求項４に記載の発明によると前記効果に加え、左右収納空間の使用側には前後開閉扉が左右方向にスライド自在に配設され、前後開閉扉は、一方の収納空間と中央縦配線空間を合わせた幅寸法より、やや大き目の幅寸法に形成されているので、扉の開放状態あるいは閉鎖状態のいずれであっても、中央縦配線空間は常に閉塞されているので、収納物の露見だけではなく、縦配線状態、余長コード、ハブ等を隠蔽することが出来るので非常に体裁がよく、しかも、中央配線空間を前後から閉鎖する部材と前後扉が兼用されているので、部材点数が削減でき、その分安価に製作出来る。
【発明を実施するための最良の形態】
【００１３】
本発明は、前後に所定間隔を有して配設された前後天板間に臨む上部配線空間を有する中間枠体に、上部配線空間の左右方向略中央部下方に、上部配線空間に連続する中央縦配線空間を設け、一方は前側から他方は後側から使用可能とした左右収納空間を、中央縦配線空間の左右側で、上部配線空間の下方に設け、左右収納空間の使用側には前後開閉扉が左右方向にスライド自在に配設され、前後開閉扉は、一方の収納空間と中央縦配線空間を合わせた幅寸法より、やや大き目の幅寸法に形成されているものである。
【実施例】
【００１４】
以下図面に基づいて本発明の実施形態を詳述する。
図１において、符号１は、本発明の机を示し、符号１０は、机１・・を左右方向に複数台並置連結して構成されたノンアドレス用机を示し、符号１１は、全体の安定性を確保するため、ノンアドレス用机１０の左右の最端の机１に連結される側脚パネルを示している。
そして実施例では、机１０・・・の前後方向中央部に机上用間仕切り１２を立設している。
【００１５】
机１０は、中間枠体２と中間枠体２の左右端部上面に連結され、中間枠体２の前後方向に突出する端部天板受け３、３と、｛実施例のように、机１を左右方向に並置連結する場合には、机１、１の並置個所には中間天板受け４（図２、図１０に示す。）が必要｝端部天板受け３、３間（端部天板受け３と中間天板受け４間、あるいは中間天板受け４、４間）に前後に所定間隔を有して連結される前後天板５、５と、前後天板５、５間に着脱自在に取付られる配線カバー体６より構成されている。
【００１６】
中間枠体２は、下面前後端部にアジャスターが取付られ、側面に側脚パネル１１の連結孔１１１・・・が形成され、左右に所定間隔を有して対向して配設された左右側板２１、２１と、左右側板２１、２１の前後端部の上端部間に所定高さに配設された前後上部幕板２２、２２と、前後上部幕板２２、２２の下端部間に配設された上部底板２３と、上部底板の所定寸法下方で、左右側板２１、２１の下端部間に配設された下部底板２４と、上部底板２３と下部底板２４の左右方向（幅方向）の略中央部で、幅方向に所定間隔を有し、上部底板２３と下部底板２４間に設けられ、左右側板２１、２１間を幅方向に区画する左右仕切板２５、２６と、右側板２１、右仕切板２６、上部底板２３、下部底板２４の前端部間に取付られる右背板２７と、左側板２１、左仕切板２５、上部底板２３、下部底板２４の後端部間に取付られる左背板２７と、開放時に左右背板２７、２８と、左右仕切板２５、２６間の前後面側に位置し、上部底板２３と下部底板２４の前後端部間で幅方向にスライド自在に配設された前後開閉扉２９、２９より構成されている。
【００１７】
すなわち、前後上部幕板２２、２２と、上部底板２３で囲まれた空間が、上面が開口する上部配線空間２０として構成され、上部配線空間２０の左右端部が位置する左右側板２１、２１の上部に、上部配線空間２０に連続する横配線用開口２１１、２１１が形成され、上部底板２３の前後方向所定位置には、幅方向ほぼ全幅に渡って上方に突出するセパレーター２３１が設けられ、上部配線空間２０の後上部幕板２２側に弱電線配線スペース２０１、前上部幕板２２側に強電線配線スペース２０２が形成されている。
【００１８】
又、上記左右仕切板２５、２６と、上部底板２３と下部底板２４で囲まれた空間が中央縦配線空間３０として構成され、上部底板２３の弱電線配線スペース２０１側に、中央縦配線空間３０に連通する上弱電線挿通孔３０１が形成され、上部底板２３の強電線配線スペース２０２側に中央縦配線空間３０に連通する上強電線挿通孔３０２・・・が形成され、下部底板２４には前記上弱電線挿通孔３０１、上強電線挿通孔３０２・・・に対応する位置に下弱電線挿通孔３０３・・・と下強電線挿通孔３０４・・・が形成されている。
【００１９】
さらに、左側板２１と、左仕切板２５と、上部底板２３と、下部底板２４と、左背板２７で囲まれた空間が前側から使用される左収納空間４０として構成され、右側板２１と、右仕切板２６と、上部底板２３と、下部底板２４と、右背板２８で囲まれた空間が後側から使用される左収納空間４０と同等の大きさの右収納空間５０として構成され、使用者側の面は前後開閉扉２９、２９によって開閉自在に構成されている。
【００２０】
すなわち、前後開閉扉２９、２９は、対向した同形に構成されているので一方側についてのみ説明すると、前後開閉扉２９は、幅寸法が左収納空間４０と中央縦配線空間３０を合わせた幅寸法よりも、使用者が容易に開閉操作できるよう把手となる部分の寸法を足し合わせた程度の、やや大きめの幅寸法に形成され、上下左右端部面に合成樹脂製の滑子２９０・・・が取付けられ、上部底板２３、下部底板２４の前後端部で幅方向全幅に渡って設けられた上下扉嵌合溝２３０・・・にケンドン式に嵌合し、左右にスライド自在に保持されている。
【００２１】
したがって、扉２９が開閉位置の何れにあっても（左右収納空間４０、５０が開放状態、閉鎖状態のどちらであっても）、中央縦配線空間３０の前後面は前後開閉扉２９、２９で閉塞されているので、内部の配線状態が外部に露出することがなく、美観を損なう事がない。
又、扉２９は、ケンドン式に上下扉嵌合溝２３０・・・に嵌合しているので、配線作業の前後、あるいは、ハブ３００等の点検の時は、簡単に取外しが可能である。
尚、実施例では、左右背板２８、２７と前後開閉扉２９、２９には、ハブ３００等から発生する熱の外部への放熱と意匠性の向上を目的として、多数の放熱孔２９３・・・が形成されている。
符号２９２は把手孔を示している。
【００２２】
端部天板受け３は、図２及び図９に示すように、中間枠体２の上端面に設けられた連結用部材２１２に連結ネジ２１３・・・にて連結される、前後方向中央部下面に形成された中間枠体連結部３１と、中間枠体連結部３１の上方位置の左右側に形成された机上用間仕切り１２の支柱連結部３２、３２と、支柱連結部３２、３２の前後方向で、中間枠体２から前後方向に突出する天板連結部３３、３３と、天板連結部３３の側面側で下方に突出する側脚パネル連結部３４、３４より構成されている。
そして、連結用部材２１１、支柱連結部３２、天板連結部３３、側脚パネル連結部３４には、それぞれ所定の連結孔が形成されている。
【００２３】
中間天板受け４は、前記端部天板受け３の中間枠体連結部３１、支柱連結部３２、３２、天板連結部３３、３３に相当する部分が、左右対称形に配設して構成された中間枠体連結部４１、４１と、支柱連結部４２・・・と、天板連結部４３、４３を有し、中間枠体連結部４１、４１、支柱連結部４２・・・、天板連結部４３、４３には、それぞれ所定の連結孔が形成されている。
【００２４】
前後天板５、５は、前記端部天板受け３、あるいは中間天板受け４に形成された連結孔に対応して裏面に連結用螺孔が形成され、前後に所定間隔を有した状態で、端部天板受け３、あるいは中間天板受け４に連結ネジにて連結される。
この状態で、前後天板５、５の後端部裏面にネジ止めされたカバー体支持部材５１、５１が上部配線空間２０の上方で互いの天板方向に臨んで突出し、その上面で配線カバー体６の前後端部を支持する。
【００２５】
配線カバー体６は、中央カバー体６１と、左右端部カバー体６３、６３より構成されている。
中央カバー体６１は、四角に４分の１円形の指先挿入部６１１・・・が形成された扁平横長長方形状で、前後端部裏面がカバー体支持部材５１、５１に載置されて、前後天板５、５間に取付けられ、上部配線空間２０の幅方向中央部を閉塞する。
【００２６】
左右端部カバー体６３、６３は、幅方向で対称的に構成されているので、一方側についてのみ説明すると、右カバー体６３は、右側端部で奥行き方向略中央部に、机上用間仕切１２の支柱１２１が挿通する支柱挿通用切欠き６３１を有し、支柱挿通用切欠き６３１と反対側の端部の前後角部には、前記中央カバー体６１の指先挿入部６１１に並列して半円形の取外し用開口６０・・・を形成する四角に４分の１円形の指先挿入部６３６が形成され、支柱挿通用切欠き６３１の前後端部には、スライドカバーを有する電源用コンセント６３０、６３０が取付けられ、電源用コンセント６３０、６３０の左側には前後方向に所定間隔を有してＬＡＮ用コネクター６３２と、ＴＥＬ用コネクター６３３が取付けられている。
【００２７】
配線カバー体６は、上記の如く構成され、机上用間仕切１２の支柱１２１、１２１が端部天板受け３、中間天板受け４と連結された状態で、前後天板５、５間に配設され、その後、支柱１２１、１２１に机上用仕切りパネル１２２、モニタービーム１２３、１２３が連結され、机上用間仕切１２が立設され、机上用仕切りパネル１２２の下面が当接する事により、前後天板５、５のカバー体支持部材５１、５１間の載置した状態が保持されるので簡単に外れる事はない。
尚、机上用仕切りパネル１２２の上端とモニタービーム１２３間には所定の間隙が設けられているので、机上用間仕切１２を組立てた後、机上用仕切りパネル１２２を持ち上げた状態で、前後天板５、５間に配線カバー体６を設けるようにしてもよく、適宜選択すれば良い。
【００２８】
本発明は上記の如く構成され、例えば図６から図８に示すように、所定数の各机１・・・の社内ＬＡＮのケーブル６００・・・は、ＬＡＮ用コネクター６３２と接続された状態で、各中間枠体２・・・の横配線用開口２１１・・・から、弱電線配線スペース２０２を挿通し、上弱電線挿通孔３０１に臨んで中央縦配線空間３０の上端部に取付金具を介して取付けられたハブ３００と接続され、ハブ３００からのケーブルは、下弱電線挿通孔３０３から床面に導き出される。
電話線７００は、ＴＥＬ用コネクター６３３と接続された状態で、弱電線配線スペース２０２を挿通し、上弱電線挿通孔３０１から中央縦配線空間３０を挿通し、下弱電線挿通孔３０３から床面に導き出される。
電源線８００は、机１の電源用コンセント６３０、６３０と接続された状態で、強電線配線スペース２０２を挿通し、上強電線挿通孔３０２から中央縦配線空間３０を挿通し、下強電線挿通孔３０４から床面に導き出される。
【００２９】
そして、電源線８００、電話線７００等が上記の如く配線された後、前後開閉扉２９、２９が、ケンドン式に取付けられ中央縦配線スペース３００の前後面を閉塞する。
【図面の簡単な説明】
【００３０】
【図１】本発明の斜視図
【図２】本発明の分解斜視図
【図３】本発明の正面図
【図４】本発明の平面図
【図５】図３のＡ−Ａ線断面図
【図６】配線状態を示す本発明の要部断面図
【図７】図６のＢ−Ｂ線断面図
【図８】図６のＣ−Ｃ線拡大断面図
【図９】図６のＤ部拡大部
【図１０】図６のＥ部拡大図
【図１１】図６のＦ−Ｆ部拡大図
【図１２】図１１のＧ部拡大図
【符号の説明】
【００３１】
１                机
１０              ノンアドレス用机
２                中間枠体
２０              上部配線空間
２９、２９        前後開閉扉
３０              中央縦配線空間
５、５            前後天板
４０、５０        左右収納空間
６                カバー体
【図１】
2007044180.tif 000003
【図２】
2007044180.tif 000004
【図３】
2007044180.tif 000005
【図４】
2007044180.tif 000006
【図５】
2007044180.tif 000007
【図６】
2007044180.tif 000008
【図７】
2007044180.tif 000009
【図８】
2007044180.tif 000010
【図９】
2007044180.tif 000011
【図１０】
2007044180.tif 000012
【図１１】
2007044180.tif 000013
【図１２】
2007044180.tif 000014